(57)【要約】      （修正有）【課題】ゴミの容積を圧縮し、収容量の拡大を図ることのできるゴミ箱を提供すること。【解決手段】ゴミを収納する収納容器１と、収納容器１の上端開口部３ａに開閉自在に軸支された蓋体２と、蓋体２を開閉動作させる開閉機構と、蓋体２に取付けられた押圧錘６が挿通できる開口部１ａが設けられた内蓋１４とを備え、蓋体２を閉成する際に押圧錘６で収納容器１内のゴミを圧縮するので、ゴミの容積を圧縮し、収容量を拡大することができる。【選択図】図２
2010168173.tif 000002
【特許請求の範囲】
【請求項１】
ゴミを収納する収納容器と、該収納容器の上端開口部に開閉自在に軸支され押圧錘を備えた蓋体と、該蓋体を開閉動作させる開閉機構と、該収納容器内の上端開口部に取付けられた上記押圧錘が挿通でき、中央を大きく開口してある開口部が設けられた内蓋とを備え、前記蓋体を閉成する際に上記錘により前記収納容器内の前記内蓋内にゴミを圧縮することを特徴とするゴミ箱。
【請求項２】
前記開閉機構は、足踏みペダルとリンク機構とアームとから構成されたことを特徴とする請求項１に記載のゴミ箱。
【請求項３】
前記内蓋によってゴミ袋を支持する支持機構が設けられたことを特徴とする請求項１または２に記載のゴミ箱。
【発明の詳細な説明】
【技術分野】
【０００１】
本発明は、ペーパータオル、ティッシュペーパー、簡易性の袋や容器等の嵩張った状態で捨てられるゴミの容積を縮小して収容することのできるゴミ箱に関するもの。
【背景技術】
【０００２】
従来の台所、洗面所、トイレ等に設置されるゴミ箱は、単に使用済みのポリエチレンやプラスチック等の包装、ペーパータオルやテッシュペーパー等のゴミが容積の増大した状態で放棄されるものである。したがって、すぐにゴミ箱が一杯になり頻繁にゴミ袋を交換しなければならなかった。また、一杯になった場合、手で押し込む必要があり、それでもゴミの容積を充分に縮小して収容することはできず、尚且つ衛生的ではなかった。
【発明の概要】
【発明が解決しようとする課題】
【０００３】
従来の技術ではゴミを押し潰し又は拡散して容器内に落下させるゴミ減容機構、昇降機構部、回転体等の各種機構を備えた複雑なものであり、装置が大鋸かりに成るという欠点が存在した。また、製造コストも嵩むものであった。
【０００４】
この発明は上記実情に鑑み提案されたもので、簡易な構造で嵩張るゴミを減容し、多量のゴミを収容することのできるゴミ箱を提供することを目的とする。
【課題を解決するための手段】
【０００５】
本発明は上記目的を達成するために、請求項１に記載の発明は、ゴミを収納する収納容器と、該収納容器の上端開口部に開閉自在に軸支された蓋体と、該蓋体を開閉動作させる開閉機構と、該収納容器内の上端開口部に取付けられた押圧錘が挿通できる開口部が設けられた内蓋とを備え、前記蓋体に取付けられた押圧錘を閉成する際に前記収納容器内の前記内蓋内にゴミを圧縮することを特徴としている。
【０００６】
また、請求項２に記載の発明は、前記開閉機構は、足踏みペダルとリンク機構とアームとから構成されたことを特徴とする。
【０００７】
また、請求項３に記載の発明は請求項１または２に記載の構成に限定を加えて、前記収納容器の上端開口部に取付けられた前記内蓋によってゴミ袋を支持する支持機構が設けられたことを特徴としている。
【発明の効果】
【０００８】
この発明は上記した構成からなるので、以下に説明するような効果を奏することができる。
請求項１に記載の発明では、ゴミを収納する収納容器と、該収納容器の上端開口部に開閉自在に軸支された蓋体と、該蓋体を開閉動作させる開閉機構とを備え、前記蓋体に取付けられた押圧錘によって、蓋体を閉成する際に前記収納容器内のゴミを圧縮するので、嵩張るペーパータオル、ティッシュペーパー、簡易性の袋や容器等のゴミが蓋体を開閉する都度、内蓋内に挿通される。したがって、従来以上の量のゴミを収納することができ、ゴミ袋を交換する回数を削減できる。
【０００９】
また、請求項２に記載の発明によれば、前記開閉機構は、足踏みペダルとリンク機構とアームとから構成されたので、ゴミを投棄する際に蓋体を手で開閉する必要がなく、衛生的である。
【００１０】
また、請求項３に記載の発明によれば、前記収納容器の上端開口部に取付けられた内蓋のゴミ袋押さえ部材によってゴミ袋を支持する支持機構が設けられたので、収納容器内にゴミ袋をセットする場合にゴミ袋の装着を極めて容易に行うことができる。また、蓋体が内部に収納されたゴミを圧縮する際にもゴミ袋がずり落ちることがない。更に、満タンとなったゴミ袋を廃棄する際にも容易に取り外すことができる
【図面の簡単な説明】
【００１１】
【図１】本発明の一実施の形態によるゴミ箱の閉蓋状態を示す斜視図
【図２】同ゴミ箱の開蓋状態を示す斜視図
【図３】同ゴミ箱の閉蓋状態を示す正面図
【図４】同ゴミ箱の背面図
【図５】同ゴミ箱の側面図
【図６】同ゴミ箱の平面図
【図７】同ゴミ箱の蓋体を示す側面図
【図８】同ゴミ箱の開閉機構を示す要部縦断面図
【図９】同ゴミ箱の内蓋の平面図
【図１０】同ゴミ箱の内蓋を示す側面図
【図１１】同ゴミ箱の他の実施例を示す全体斜視図
【発明を実施するための形態】
【００１２】
発明の実施の形態を実施例に基づいて図面を参照して説明する。図１は本発明に係るゴミ箱の閉蓋状態を示す斜視図、図２は本願発明のゴミ箱の開蓋状態を示す斜視図である。ここで、ゴミ箱１Ａは、ゴミを収納する収納容器１と、この収納容器１の上端開口部３ａに開閉自在に軸支された蓋体２と、この収納容器１の上端開口部３ａに取付けられた内蓋１４と、この蓋体２を開閉動作させる開閉機構３とを備えている。  
【００１３】
収納容器１は、上端開口部１ａを有する筒状をしており、本実施の形態において、収納容器１は角筒状に形成されているが、これに限ることなく円形、楕円形等他の矩形であってもよい。
【００１４】
蓋体２は、収納容器１の一端にヒンジ５で開閉可能に支持されている。ヒンジ５は、収納容器１の背面側に形成されており、本実施の形態では、左右の２箇所に設けられている。また、蓋体２の下面には、押圧錘６が突出して形成されている。押圧錘６は、収納容器１の上端開口部１ａに取付けられた内蓋１４の内蓋の上端開口部１ａに挿通され、収納容器１内に投棄されたゴミを押し潰すのに十分な重さを有している。
【００１５】
内蓋１４は、収納容器１の上端開口部３ａに取付けられている。内蓋１４の中央には、蓋体２に設けられた押圧錘６が挿通できる内蓋の上端開口部１ａが設けられている。また内蓋１４には、ゴミが投棄されたとき内蓋の上端開口部１ａに集まるよう傾斜されている。
【００１６】
更に、内蓋１４の外周に、ゴミ袋を支持する支持機構であるゴミ袋押さえ部材４が設けられている。ゴミ袋押さえ部材４は、収納容器１の上端開口部３ａの外周に取付けることにより、収納容器１の内部に入れるゴミ袋の上端を挟むことができる。ゴミ袋の上端を保持することによって、蓋体２を閉じる際に内部のゴミを圧縮してもゴミ袋がずり落ちることがない。なお、支持機構としては、マグネット、面ファスナー等の貼着手段でゴミ袋の上端を保持してもよい。
【００１７】
開閉機構３は、本実施の形態では収納容器１の側面に配置されており、図８に示すように足踏みペダル８とリンク機構９とアーム１２とから構成されている。足踏みペダル８は、軸１０を中心に回動可能に支承されており、下方にストッパ１１が設けられている。リンク機構９は、足踏みペダル８の一部に連結されたアーム１２とから構成されている。また、アーム１２は、蓋体２の一部に回動自在に連結されている。アーム１２の他端は、装置本体の一部に回動自在に支持されている。
【００１８】
以上のように構成された開閉機構３は、足踏みペダル８を足で踏むことにより、リンク機構９を介して蓋体２を開成することができる。また、足踏みペダル８から足を離すと、蓋体２は、自重で閉じようとする。
【００１９】
次に、以上のように構成されたゴミ箱の使用状態について説明する。先づ、嵩の増したゴミが、内蓋１４の上部に投棄され、投棄されたゴミが内蓋の上端開口部１ａの上部に集まり蓋体２が閉成する際に内蓋１４の上端開口部１ａを通過して収納容器１内にセットされたゴミ袋の中に投棄されて行く。内部に収納された嵩張るゴミの量が増すと、内蓋１４で圧縮される。この様にして、手を拭く等して丸められて嵩の増したゴミを、順次蓋体２の開閉の都度、内蓋１４内に挿通し圧縮することで、従来以上に収納することができる。
【００２０】
図１１は、本願発明のゴミ箱の他の実施例を示す全体斜視図である。本実施の形態において、ゴミ箱２Ａは、ゴミを収納する収納容器３１と、この収納容器３１の上端開口部４ａに開閉自在にヒンジ３３で軸支された蓋体３２と、この収納容器３１の上端開口部４ａに取付けられたゴミ袋押さえ部材３４が設けられた内蓋３８と、この内蓋３８の内蓋の上端開口部２ａは、大小さまざまなゴミでも収納容器３１内に投棄を安易に行うため内蓋の上端開口部２ａの中央を大きくしてある内蓋３８を備えている。
【００２１】
収納容器３１は、上端開口部４ａを有する筒状をしている。
【００２２】
ヒンジ３３は、収納容器３１の背面側に突出して形成されており、本実施の形態では、左右の２箇所に設けられている。また、蓋体３２の前面には、開閉操作をするための取手３６が延設されている。
【００２３】
また、蓋体３２の下面には、押圧錘３５が突出して形成されている。押圧錘３５は、収納容器３１の上端開口部４ａに取付けられた内蓋３８の内蓋の上端開口部２ａに挿通され、収納容器３１内に投棄されたゴミを押し潰すのに十分な重さを有している。
【００２４】
以上のように構成した場合、手でもって蓋体を開閉することができるので、簡易な構造であると共に静かに開閉することができる。また、簡易な構造であるので故障することもない。
【符号の説明】
【００２５】
１Ａ、２Ａ  ゴミ箱
１  、３１  収納容器
２  、３２  蓋体  
３          開閉機構
４  、３４  内蓋の押さえ部材
５  、３３  ヒンジ
６  、３５  押圧錘
８          足踏みペダル
９          リンク機構
１０        軸
１１        ストッパ
１２        アーム
１４、３８  内蓋
３６        取手
１ａ，２ａ  内蓋の上端開口部
３ａ，４ａ  上端開口部
【先行技術文献】
【特許文献】
【００２６】
【特許文献１】特開２００４−１２３３２２号公報
【図１】
2010168173.tif 000003
【図２】
2010168173.tif 000004
【図３】
2010168173.tif 000005
【図４】
2010168173.tif 000006
【図５】
2010168173.tif 000007
【図６】
2010168173.tif 000008
【図７】
2010168173.tif 000009
【図８】
2010168173.tif 000010
【図９】
2010168173.tif 000011
【図１０】
2010168173.tif 000012
【図１１】
2010168173.tif 000013